(57)【要約】【課題】シャワヘッドの回動に関与する部分を見栄えよく隠すことができるシャワを提供すること。【解決手段】パイプ２の端部に、内部に流通孔１６が形成された球面部Ｃを有する部材５が接続され、この部材５の軸芯Ｐまわりにシャワヘッド９が回動するよう構成されたシャワ１であって、前記部材５を覆う蛇腹状のカバー２２を設けている。【選択図】          図１
2004147869.tif 000002
【特許請求の範囲】
【請求項１】
パイプの端部に、内部に流通孔が形成された球面部を有する部材が接続され、この部材の軸芯まわりにシャワヘッドが回動するよう構成されたシャワであって、前記部材を覆う蛇腹状のカバーを設けたことを特徴とするシャワ。
【請求項２】
一端が壁に取り付けられ、他端に、雄ねじが形成された継手を有するパイプと、一端に前記雄ねじに螺合する雌ねじが形成された接続口を、他端に球面部を、内部に流通孔を有する部材と、雄ねじが形成された環状取付け部を一端に有し、他端に吐水キャップを有するシャワヘッドと、前記環状取付け部および球面部間に介装され、前記球面部の球面に当接する曲面が形成された第１のリング体と、小径開口部を一端に有し、前記環状取付け部の前記雄ねじに螺合する雌ねじが形成された大径開口部を他端に有する袋ナットと、前記小径開口部および前記球面部間に介装され、前記球面部の球面に当接する曲面が形成された第２のリング体と、前記部材を前記継手に接続する前にこの継手の前記雄ねじに嵌込まれるシール用リング体とを備え、前記シャワヘッドが前記部材に対して前記部材の軸芯まわりに前記袋ナットと共に前記第１のリング体および第２のリング体を介して回動するよう構成されたシャワであって、前記部材、袋ナットおよび環状取付け部を覆う蛇腹状のカバーを前記継手およびシャワヘッド間に設けたことを特徴とするシャワ。
【請求項３】
前記吐水キャップは前記シャワヘッドの吐水口の開放端に着脱自在に装着され、前記吐水キャップの裏面側に樹脂製の吐水板が設けられこの吐水板に香りを放つ芳香成分を含ませてある請求項２に記載のシャワ。
【請求項４】
前記吐水板は、前記吐水キャップに設けた吐水孔に挿通可能に装着される通水孔部を有する請求項３に記載のシャワ。
【請求項５】
前記吐水板は、シリコン樹脂製で、前記通水孔部を前記吐水キャップに設けた前記吐水孔に対応する位置に有する一方、前記通水孔部は、前記吐水孔に挿通可能な長さに突出した筒状部分を前記吐水板の前面側に有する請求項４に記載のシャワ。
【発明の詳細な説明】
【０００１】
【発明の属する技術分野】
この発明は、シャワに関する。
【０００２】
【従来の技術】
例えば公衆浴場の壁にパイプを介して設置される壁付きシャワとして、前記パイプの下流端に継手を介して設置されたシャワヘッドが回動するよう構成されたものがある。これは、内部に流通孔が形成された球面部を有する部材の上流端が前記継手に接続されるとともに、前記部材の下流側にシャワヘッドが接続されてなるものである。
【０００３】
【発明が解決しようとする課題】
しかし、前記部材、この部材と前記継手の接続部分およびシャワヘッドと前記球面部の接続部分等の前記シャワヘッドの回動に関与する部分が露出しているので、見栄えが悪かった。
【０００４】
また、前記シャワヘッドに粉末または液体の芳香剤や、固形の芳香剤を収納したものがあるけれども、いずれも水溶性のため放出される香りの持続期間が短いという欠点がある。また、これら芳香剤を交換操作が簡単なケースに収納した、いわゆるカートリッジ式のシャワヘッドは前記ケース分だけサイズが大型化するという欠点がある。
【０００５】
この発明は上述の事柄に留意してなされたもので、その目的は、少なくともシャワヘッドの回動に関与する部分を見栄えよく隠すことができるシャワを提供することである。
【０００６】
【課題を解決するための手段】
上記目的を達成するために、この発明のシャワは、パイプの端部に、内部に流通孔が形成された球面部を有する部材が接続され、この部材の軸芯まわりにシャワヘッドが回動するよう構成されたシャワであって、前記部材を覆う蛇腹状のカバーを設けたことを特徴とする。
【０００７】
また、この発明は別の観点から、一端が壁に取り付けられ、他端に、雄ねじが形成された継手を有するパイプと、一端に前記雄ねじに螺合する雌ねじが形成された接続口を、他端に球面部を、内部に流通孔を有する部材と、雄ねじが形成された環状取付け部を一端に有し、他端に吐水キャップを有するシャワヘッドと、前記環状取付け部および球面部間に介装され、前記球面部の球面に当接する曲面部が形成された第１のリング体と、小径開口部を一端に有し、前記環状取付け部の前記雄ねじに螺合する雌ねじが形成された大径開口部を他端に有する袋ナットと、前記小径開口部および前記球面部間に介装され、前記球面部の球面に当接する曲面部が形成された第２のリング体と、前記部材を前記継手に接続する前にこの継手の前記雄ねじに嵌込まれるシール用リング体とを備え、前記シャワヘッドが前記部材に対して前記部材の軸芯まわりに前記袋ナットと共に前記第１のリング体および第２のリング体を介して回動するよう構成されたシャワであって、前記部材、袋ナットおよび環状取付け部を覆う蛇腹状のカバーを前記継手およびシャワヘッド間に設けたことを特徴とするシャワを提供する。
【０００８】
【発明の実施の形態】
以下、この発明の実施の形態について説明する。
図１〜図６は、例えば公衆浴場の洗い場の壁に設置されるこの発明の一実施形態を示す。
【０００９】
まず、図１、図２において、シャワ１は、公衆浴場の洗い場の壁Ｗに一端が取り付けられたパイプ２と、このパイプ２に嵌込まれた継手４と、球面部Ｃを有し、前記継手４に接続される部材５と、袋ナット６と、袋ナット６を介して前記部材５が取付けられる環状取付け部７を一端に有し、他端に吐水キャップ８を有するシャワヘッド９と、環状取付け部７および球面部Ｃ間に介装される第１のリング体１０と、袋ナット６および球面部Ｃ間に介装される第２のリング体１１と、継手４に嵌込まれるシール用リング体１２とを主として備えている。
【００１０】
更に、前記パイプ２の一端は前記壁Ｗに取り付けられ、パイプ２の他端にはＯリング３を介して前記継手４が嵌込まれ、この継手４には雄ねじ１３が形成されている。
【００１１】
前記部材５は、前記雄ねじ１３に螺合する雌ねじ１４が形成された接続口１５を一端に有し、他端に前記球面部Ｃを有し、内部に流通孔１６を有する。
【００１２】
前記環状取付け部７はシャワヘッド９の一端に設けられ、環状取付け部７には雄ねじ１７が形成されている。具体的には、環状取付け部７は、シャワヘッド９の裏面９ａの中央位置から上流側に環状に突出形成されている。
【００１３】
前記第１のリング体１０の上流側の端部１８には、前記球面部Ｃの球面Ｓに当接する曲面ｍが形成されている。
【００１４】
前記袋ナット６は、小径開口部１９を一端に有し、前記環状取付け部７の前記雄ねじ１７に螺合する雌ねじ２０が形成された大径開口部２１を他端に有する。
【００１５】
前記第２のリング体１１の内周面は、球面部Ｃの球面Ｓに当接する曲面ｎに形成されている。
【００１６】
前記シール用リング体１２は、前記部材５を前記継手４に接続する前にこの継手３の前記雄ねじ１３に嵌込まれる。
【００１７】
また、継手４は、前記Ｏリング３が設けられている上流側の嵌込部４ａと、雄ねじ１３が形成されている下流側のねじ部４ｂよりなり、このねじ部４ｂは嵌込部４ａよりも小径に形成されている。３０は、両者４ａ，４ｂの境に形成される環状の段差面である。
【００１８】
上記構成により、シャワ１は、前記シャワヘッド９が前記部材５に対して前記部材５の軸芯Ｐまわりに前記袋ナット６と共に前記第１のリング体１０および第２のリング体１１を介して回動する。
【００１９】
２２は、前記部材５、袋ナット６および環状取付け部７を覆う蛇腹状のカバーで、前記継手４およびシャワヘッド９間に設けられており、上下に筒状の硬質の樹脂よりなる当たり部２３，２４を有するとともに、上下の当たり部２３，２４をつなぐ伸縮自在な、軟質の樹脂よりなる可撓性の蛇腹部２５を当たり部２３，２４間に有する。そして、前記カバー２２の前記上側当たり部２３の先端環状面２３ａが、継手４の前記環状の段差面３０に当接するとともに、前記下側当たり部２４の先端環状面２４ａがシャワヘッド９の前記裏面９ａに当接するよう記継手４およびシャワヘッド９間に前記カバー２２は設置される。
【００２０】
前記蛇腹状のカバー２２は、袋状で、上側当たり部２３によって形成される上方開口２２ａおよび下側当たり部２４によって形成される下方開口２２ｂを有する。
【００２１】
そして、蛇腹状のカバー２２の長さＬは、継手４およびシャワヘッド９間の長さ、すなわち、前記環状の段差面３０および裏面９ａ間の長さＬ’よりも長く設定されている。これは、長さＬの前記カバー２２を縮めることにより、前記カバー２２の長さを段差面３０および裏面９ａ間に設置可能な長さとし、前記カバー２２を縮めたことによる蛇腹部２５の付勢力により先端面２３ａが段差面３０に強固に当接するとともに、先端面２４ａが裏面９ａに強固に当接して前記カバー２２がずれたりすることなく確実に位置決めできるからである。
【００２２】
而して、パイプ２の他端（下流端）に継手４を嵌込み、この継手４にシール用リング体１２を段差面３０に当たるまで嵌込み、続いて、袋ナット６および球面部Ｃ間に第２のリング体１１を介装した状態で球面部Ｃを有する部材５を継手４に接続し、前記部材５、袋ナット６および環状取付け部７を覆うよう前記カバー２２をセットするとともに、環状取付け部７および球面部Ｃ間に第１のリング体１０を介装し、更に、袋ナット６と環状取付け部７を接続するだけでシャワヘッド９の回動に関与する部分（前記部材５、袋ナット６および環状取付け部７）を見栄えよく隠すことができる。このとき、蛇腹部２５は縮まっており、蛇腹部２５の付勢力により先端面２３ａおよび先端面２４ａが、それぞれ段差面３０および裏面９ａにずれることなく確実に当接する。これにより、前記カバー２２を継手４およびシャワヘッド９間に確実に位置決めできる。
【００２３】
なお、図２は、公衆浴場の洗い場の壁Ｗに設置される湯水混合水栓の吐水管５０と、シャワ１と、湯水混合水栓本体５２内の中央部に形成される混合室５１の混合流路を、シャワ通水流路ｉに連通させたり、吐水管通水流路ｊに連通させる切替バルブ５４を有する流路切替部５５の上下位置関係を示し、吐水管５０およびシャワ１間に流路切替部５５が位置している。
【００２４】
また、図３は、湯水混合水栓本体５２を示し、正面向かって左側に正面視十字型の止水ならびに湯流量調節用のハンドル５８が位置し、正面向かって右側に正面視十字型の止水ならびに水流量調節用のハンドル５９が位置している。また、図４は、前記ハンドル５８または５９の止水ならびに流量調節機構を示す。
【００２５】
図５は、シャワヘッド９の他端（下流端）に設けた前記吐水キャップ８と、この吐水キャップ８の裏面に設けられた吐水板７０を示す。
【００２６】
図５において、前記吐水キャップ８は前記シャワヘッド９の吐水口７１の環状の開放端Ｍにねじｘ，ｙ止めにより着脱自在に装着されている。そして、前記吐水キャップ８の裏面側に樹脂製の吐水板７０が設けられている。この吐水板７０には、香りを放つ芳香成分を含ませてある。
【００２７】
そして、前記吐水板７０は、前記吐水キャップ８に設けた複数の各吐水孔７７に挿通可能に装着される通水孔部７３を有する。前記吐水板７０は、シリコン樹脂製で、前記通水孔部７３を前記吐水キャップ８に設けた前記吐水孔７７に対応する位置に有する一方、前記通水孔部７３は、前記吐水孔７７に挿通可能な長さに突出した筒状部分７３ａを前記吐水板７０の前面側に有する。
【００２８】
更に、吐水板７０は、変形自在な軟質の薄肉状環状板である。そして、筒状部分７３ａは、筒状部分７３ａの先端Ｅが吐水キャップ８の表面７８から僅かに突出するよう突出長さが設定されている。
【００２９】
そして、吐水板７０の前面７７ａが吐水キャップ８の裏面８ｄに当接するまで筒状部分７３ａを散水孔７７に挿通させることで吐水キャップ８の裏面側に吐水板７０が装着され、この状態で、吐水口７１の開放端Ｍに吐水キャップ８が、例えば吐水キャップ８に形成された前記雌ねじｘと開放端Ｍに形成された前記雄ねじｙの螺合により装着されうる。
【００３０】
なお、散水孔７７の形状にばらつきがあって整流状態の悪い散水孔７７が形成されていても、筒状部分７３ａを散水孔７７に挿通して設置することで、整流状態を良好にできる。また、通水孔部７３は、変形自在な軟質のシリコン樹脂で薄肉に形成されているので、通水孔部７３に付着したごみを直接手や布で取り除くことができ、硬質の吐水キャップ８の散水孔７７が目詰まりを起こした場合に比して、容易な作業で目詰まりを解消できる利点を有する。
【００３１】
また、香りを放つ芳香樹脂を予め多数のペレットに成形しておき、これらペレットと、シリコン樹脂よりなる多数のペレットとを所定の配合量にて混合し、この混合したものを加熱、溶融させた後、金型を用いて樹脂成形することにより環状体の吐水板７０をうることができる。
【００３２】
而して、吐水板７０に香りを放つ芳香成分を含ませたので、カートリッジを不要にでき、シャワヘッド９の大型化を防止できる。
【００３３】
また、吐水板７０を用いることにより接水面積が増えるので、香りの効果を増大できる。
【００３４】
更に、吐水板７０に香りを放つ芳香成分を含ませてあるので、香りの持続期間を従来に比して延長できる。
【００３５】
【発明の効果】
以上説明したようにこの発明では、パイプの端部に、内部に流通孔が形成された球面部を有する部材が接続され、この部材の軸芯まわりにシャワヘッドが回動するよう構成され、前記部材を覆う蛇腹状のカバーを設けたので、シャワヘッドの回動に関与する前記球面部を有する部材等の部品ならびに接続箇所を見栄えよく隠すことができるシャワを提供することができる。
【図面の簡単な説明】
【図１】この発明の一実施形態を示す構成説明図である。
【図２】上記実施形態における使用状態を示す全体構成説明図である。
【図３】上記実施形態と組み合わせて用いられる湯水混合水栓本体を示す図である。
【図４】上記実施形態と組み合わせて用いられる止水ならびに湯流量調節用のハンドルおよび止水ならびに水流量調節用のハンドルの流量調節機構を示す構成説明図である。
【図５】上記実施形態で用いる吐水キャップと吐水板を示す構成説明図である。
【図６】上記実施形態を示す構成説明図である。
【符号の説明】
１…シャワ、２…パイプ、５…部材、９…シャワヘッド、１６…流通孔、２２…蛇腹状のカバー、Ｃ…球面部、Ｐ…軸芯。
【図１】
2004147869.tif 000003
【図２】
2004147869.tif 000004
【図３】
2004147869.tif 000005
【図４】
2004147869.tif 000006
【図５】
2004147869.tif 000007
【図６】
2004147869.tif 000008